(57)【要約】【課題】デザイン的及び機能的に優れ、使い勝手も良好であるジャケットを提供する。【解決手段】本発明のジャケット１は、長袖７ａ，７ｂを含み、長袖の一部には延長部１５を含み、延長部１５を伸ばしたときは少なくとも手の甲を覆い、延長部１５の一部は長袖の先端部を形成し、延長部１５を内側に折り込むと折込部１６が形成され、折込部１６は長袖の先端部となり、延長部１５のいずれかの部分と、延長部を内側に折り込んだときに対応する部分の一方にはマグネット９ａが固定され、他方にはマグネットに吸引される物質９ｂが固定されており、延長部１５を内側に折り込んだとき、マグネット９ａ及びマグネットに吸引される物質９ｂの吸引力により延長部１５は内側に折り込んだ状態（９ｃ，９ｄ）で固定される。【選択図】図１
2018141254.tif 000002
【特許請求の範囲】
【請求項１】
長袖を含むジャケットであって、
前記長袖の一部には延長部を含み、
前記延長部を伸ばしたときは少なくとも手の甲を覆い、前記延長部の一部は前記長袖の先端部を形成し、
前記延長部を内側に折り込むと折込部が形成され、前記折込部は前記長袖の先端部となり、
前記延長部のいずれかの部分と、前記延長部を内側に折り込んだときに対応する部分の一方にはマグネットが固定され、他方には前記マグネットに吸引される物質が固定されており、
前記延長部を内側に折り込んだとき、前記マグネット及びマグネットに吸引される物質の吸引力により前記延長部は内側に折り込んだ状態で固定されることを特徴とするジャケット。
【請求項２】
前記延長部は、前記延長部を伸ばしたとき少なくとも手の裏全体を覆う請求項１に記載のジャケット。
【請求項３】
前記マグネット及びマグネットに吸引される物質は、外側から視認されない請求項１又は２に記載のジャケット。
【請求項４】
前記マグネット及びマグネットに吸引される物質は、Ｎ極マグネットとＳ極マグネットとする請求項１〜３のいずれかに記載のジャケット。
【請求項５】
前記マグネット及びマグネットに吸引される物質のいずれか一方は、複数の円盤状のものを複数個一列に配置した１〜４のいずれかに記載のジャケット。
【請求項６】
前記マグネット及びマグネットに吸引される物質は、樹脂シート上に配置され、上から保護フィルムによって被覆一体化され、前記樹脂シートの下には粘着剤又は接着剤により布と一体化され、前記布が袖の裏生地又は袖生地の裏側に縫い付けられている１〜５のいずれかに記載のジャケット。
【請求項７】
前記ジャケットはレインジャケット、防寒ジャケット、防風ジャケット及びこれらの組み合わせから選ばれる請求項１〜６のいずれかに記載のジャケット。
【発明の詳細な説明】
【技術分野】
【０００１】
本発明は、長袖の先端部の一部に延長部を含み、折り込み可能なジャケットに関する。
【背景技術】
【０００２】
一般的に背広（スーツ）や替え上着のようなジャケットはテーラードジャケットといい、長袖である。このためレインジャケット、防寒ジャケット、防風ジャケットなどに適用するには、手が冷えたり、濡れる問題がある。特許文献１には、日焼け止めブラウスの袖を延長した衣類が提案されている。特許文献２には、長袖端部に延長部を設け、親指を通す穴を設けることが提案されている。
【先行技術文献】
【特許文献】
【０００３】
【特許文献１】特開２００７−２０４９１０号公報
【特許文献２】特開平６−１３６６０１号公報
【発明の概要】
【発明が解決しようとする課題】
【０００４】
しかし、従来の長袖先端部は折り曲げたときの処理状態に問題があり、外側に折り曲げるとデザイン的に好ましくなく、引っかかるなどの機能上の問題もあった。内側に折り曲げることも考えられるが、係止手段に問題があり、使い勝手も問題があった。
【０００５】
本発明は、上記問題を解決するため、デザイン的及び機能的に優れ、使い勝手も良好であるジャケットを提供する。
【課題を解決するための手段】
【０００６】
本発明のジャケットは、長袖を含むジャケットであって、前記長袖の一部には延長部を含み、前記延長部を伸ばしたときは少なくとも手の甲を覆い、前記延長部の一部は前記長袖の先端部を形成し、前記延長部を内側に折り込むと折込部が形成され、前記折込部は前記長袖の先端部となり、前記延長部のいずれかの部分と、前記延長部を内側に折り込んだときに対応する部分の一方にはマグネットが固定され、他方には前記マグネットに吸引される物質が固定されており、前記延長部を内側に折り込んだとき、前記マグネット及びマグネットに吸引される物質の吸引力により前記延長部は内側に折り込んだ状態で固定されることを特徴とする。
【発明の効果】
【０００７】
本発明のジャケットは、長袖の先端部の一部には延長部を含み、延長部を伸ばしたときは少なくとも手の甲を覆い、延長部を内側に折り込んだとき、マグネット及びマグネットに吸引される物質の吸引力により延長部は内側に折り込んだ状態で固定されることにより、デザイン的及び機能的に優れ、使い勝手も良好である。すなわち、通常状態ではジャケットとして着用でき、屋外において雨天、強風、寒いときなどは手の甲を覆うことにより、手軽に防水、防風、防寒ができ、デザイン的にも機能的にも優れ、使い勝手も良好である。
【図面の簡単な説明】
【０００８】
【図１】図１は本発明の一実施形態のジャケットの正面図である。
【図２】図２は本発明の別の実施形態のジャケットの正面図である。
【図３】図３は本発明の一実施形態のジャケットの使用形態を示す正面図である。
【図４】図４Ａは同マグネット部材の平面図、図４Ｂは同マグネット部材の断面図である。
【図５】図５Ａは本発明の別の実施形態のマグネット部材の平面図、図５Ｂは同マグネット部材の断面図である。
【発明を実施するための形態】
【０００９】
本発明のジャケットは、長袖の先端部の一部には延長部を含み、寒いときや雨のときなどは延長部を伸ばして、少なくとも手の甲を覆うことができる。これにより、手軽に防水、防風、防寒ができる。通常時は、延長部を内側に折り込み、長袖の先端部を手首に位置させる。延長部のいずれかの部分と、延長部を内側に折り込んだときに対応する部分の一方にはマグネットが固定されており、他方には前記マグネットに吸引される物質が固定されており、延長部を内側に折り込んだとき、マグネット及びマグネットに吸引される物質の吸引力により延長部は内側に折り込んだ状態で固定される。これによりデザイン的に問題の無いジャケットにできる。
【００１０】
延長部は、伸ばしたとき少なくとも手の裏全体を覆うようにしてもよい。この実施形態は、手に関してさらに防水、防風、防寒ができる。この場合、延長部の先端は袋状にしておくと使い勝手がさらに良くなる。親指の自由度を確保するため、親指は露出させておいてもよい。
【００１１】
マグネット及びマグネットに吸引される物質は、外側から視認されないのが好ましい。外側から視認されないためには、裏生地に縫い付けたり、表生地の裏側に縫い付けるのが好ましい。これによりデザイン的に問題の無いジャケットにできる。
【００１２】
マグネット及びマグネットに吸引される物質は、Ｎ極マグネットとＳ極マグネットとするのが好ましい。これにより強力な吸引ができる。他の例としては、マグネットと金属の組み合わせがある。
【００１３】
マグネット及びマグネットに吸引される物質のいずれか一方は、複数の円盤状のものを複数個一列に配置したことが好ましい。これにより強力な吸引ができる。マグネット及びマグネットに吸引される物質は、樹脂シート上に配置され、上から保護フィルムによって被覆一体化され、樹脂シートの下には粘着剤又は接着剤により布と一体化されたものを使用し、布を袖の裏生地又は袖生地の裏側に縫い付けたことが好ましい。これによりデザイン的に問題の無いジャケットにできる。
【００１４】
以下は本発明の好ましいジャケットの例である。このジャケットは胸襟部を含み、胸襟部は外側に折り返されて開いており、一方の胸襟部にはマグネットが固定されており、他方の胸襟部には前記マグネットに吸引される物質（マグネット又は金属）が固定されている。このジャケットは、胸襟部を開いた状態ではマグネット及びマグネットに吸引される物質は外側から視認できず、胸襟部を閉じたとき、マグネット及びマグネットに吸引される物質の吸引力により胸襟部は閉じた状態で固定される。これにより、通常状態ではジャケットとして着用でき、屋外において雨天、強風、寒いときなどは胸襟を閉じることにより、手軽に防水、防風、防寒ができ、デザイン的にも機能的にも優れ、使い勝手も良好である。
【００１５】
胸襟部は、少なくとも表生地と裏生地で構成され、かつ一方の胸襟部の前記表生地と裏生地の間にはマグネットが固定されており、他方の胸襟部の表生地と裏生地の間にはマグネットに吸引される物質が固定されている。これにより、マグネット及びマグネットに吸引される物質は外側から視認できず、デザイン的に優れたものとなる。マグネット及びマグネットに吸引される物質は、樹脂シート上に配置され、その上からカバーフィルムで一体化されたものを使用し、樹脂シートの裏面には粘着剤を塗布しておき、少し大きめの布の上に前記粘着剤側を貼り付け、布を表生地又は裏生地に縫い付けることにより固定するのが好ましい。マグネット及びマグネットに吸引される物質は、Ｎ極マグネットとＳ極マグネットの組み合わせが、吸着強力があり好ましい。
【００１６】
ジャケットは男性用ジャケットであり、胸襟部を開いたとき、左胸襟部の先端に沿ってマグネット又はマグネットに吸引される物質のうちの一方を配置し、マグネット又はマグネットに吸引される物質のうちの他方は右胸襟部に配置するのが好ましい。女性用ジャケットはその逆である態様としてもよい。マグネット又はマグネットに吸引される物質は、縦方向に２つ以上に分けて配置することもできる。これにより、胸の前で身長方向に沿って直線状に胸襟部を閉じることができ、防水、防風、防寒に有効となる。また、首ボタンを留めてもよい。
【００１７】
ジャケットは首襟部を含み、首襟部を立てることにより胸襟部が連動して閉じる態様としてもよい。これにより、胸の前で胸襟部は閉じることができ、防水、防風、防寒に有効となる。首襟部と胸襟部を連動させるには、首襟部と胸襟部を連続させておけばよい。これにより、胸襟部を閉じる操作が容易となる。
【００１８】
マグネット及びマグネットに吸引される物質のいずれか一方はベルト状に配置されているのが好ましい。これにより胸襟部はシールされた状態で閉じることができ、防水、防風、防寒に有効となる。
【００１９】
胸襟部の下にはジャケットボタン部を有するのが好ましい。これにより、通常着用状態におけるジャケットとしてデザイン的に優れるほか、防風効果も高くなる。
【００２０】
前記ジャケットには、首部にボタンとボタン穴が設けられているのが好ましい。首部のボタンをボタン穴にかけることにより、前記マグネット及びマグネットに吸引される物質の吸引固定はより安定する。
【００２１】
前記マグネット及びマグネットに吸引される物質は、樹脂シート上に配置され、上から保護フィルムによって被覆一体化され、前記樹脂シートの下には粘着剤又は接着剤により布と一体化され、前記布がジャケットの胸襟部に縫い付けられているのが好ましい。このようにすると、前記マグネット及びマグネットに吸引される物質の位置が固定された状態で胸襟部に縫い付けできるので、所定の位置に正確に固定できる。
【００２２】
本発明のジャケットはレインジャケット、防寒ジャケット、防風ジャケット及びこれらの組み合わせから選ばれるのが好ましい。防水、防風、防寒を全部兼ねることもできる。なお、レインジャケットにする場合は、生地に撥水処理しておくのが好ましい。
【００２３】
ジャケット生地はポリエステル織物、コットン織物、ポリエステル−コットン混紡織物、ウール、ナイロンなどが好ましい。高密度織物とする場合は撥水処理無しでも防水機能がある。もちろん撥水処理と組み合わせることもできる。ここで高密度織物とは糸番手２０〜６０（綿番手）を使用し、経糸密度が８０〜１２０本／インチ程度、緯糸密度が５０〜１００本／インチ程度の織物をいう。
【００２４】
本発明で使用できるマグネットは、ネオジム、フェライト、サマリウム−コバルト、ガドリニウム、モナズ石などの希土類磁石、これらの材料を含むプラスチックマグネットなど、いかなるマグネットでもよい。プラスチックマグネットの場合は、細幅のシート状にしたものが好ましい。また、マグネットに吸引される物質は、吸引される物質を含んでいればどのようなものでもよい。例えば、ステンレス箔、磁性金属粉を含むプラスチックシート、前記プラスチックマグネットなどいかなるものでもよい。
【００２５】
以下図面を用いて説明する。各図面において、同一符号は同一部分を示す。図１は本発明の一実施形態のジャケットの正面図である。このジャケット１は男性用の例であり、着用者から見て左側の長袖外側先端部には手の甲を覆う延長部１５が形成され、延長部１５を伸ばしたときは少なくとも手の甲を覆った状態が示されている。延長部１５の先端にはひも状ループを形成しておき、指を掛けるようにしてもよい。延長部１５と、延長部を内側に折り込んだときに対応する部分にはマグネット９ａと異極マグネット９ｂが外側から視認されない状態で配置されている。着用者から見て右側の長袖延長部を内側に折り込むと折込部１６が形成され、これが長袖先端部となる。延長部１５のいずれかの部分と、延長部を内側に折り込んだときに対応する部分の一方にはマグネット９ａが固定され、他方にはマグネットに吸引される物質９ｂが固定されており、延長部１５を内側に折り込んだとき、マグネット９ａ及びマグネットに吸引される物質９ｂの吸引力により延長部１５は内側に折り込んだ状態（９ｃ，９ｄ）で固定される。
【００２６】
好ましい例として、胸襟部３ａ，３ｂは外側に折り返されて開いており、着用者から見て左側の胸襟部３ａにはマグネット４ａ，４ｂが２つに分けて表生地と裏生地との間に固定されている。図面において、マグネット４ａ，４ｂは点線で示しているが、これは表生地と裏生地との間に存在しており、外側からは視認できないからである。
着用者から見て右側の胸襟部３ｂには、前記マグネット４ａとは異なった極のマグネット４ｃが固定され、右側胸襟部下部の見頃部には前記マグネット４ｂとは異なった極のマグネット４ｄが固定されている。マグネット４ｃと４ｄも２つに分けられている。
このジャケット１には首襟部２が設けられている。首襟部２の両端部は胸襟部３ａ，３ｂの上部と連結されており、首襟部２を立てると胸襟部３ａ，３ｂも連動して閉じられる。首部には首部ボタン８ｂとボタン穴８ａを設けておく。
胸襟部４ｂ，４ｄの下にはボタン５が固定されており、通常着用状態におけるジャケットとしてデザイン的に満足させるとともに、防風効果も高めている。６は前見頃、７ａ，７ｂは袖部である。
【００２７】
図２は本発明の別の実施形態のジャケットの正面図である。図１と異なる点は、着用者から見て左側の長袖外側先端部には手の裏全体を覆う延長部１７が形成され、延長部１７を伸ばしたときは少なくとも手の裏全体を覆った状態が示されている点である。延長部１７の先端部は袋状にしておくのが好ましい。親指の自由度を確保するため、親指は露出させておいてもよい。着用者から見て右側の長袖延長部を内側に折り込むと折込部１６が形成され、これが長袖先端部となる。この例においてもマグネット９ｃと異極マグネット９ｄにより吸引固定されている。
【００２８】
図３は本発明の一実施形態のジャケットの使用形態を示す正面図であり、胸襟を閉じた状態の正面図である。マグネット４ａとマグネット４ｃ、マグネット４ｂとマグネット４ｄはそれぞれ吸引し、細いベルト状に胸襟部は閉じられる。首部ボタン８ｂをボタン穴８ａにかけてもよい。胸襟部を開く場合は、胸襟部３ａ，３ｂを開く。
【００２９】
図４Ａは、長袖先端部のマグネットとこれを内側に折り込んだ時に対応する位置に配置する異極マグネット部材の平面図、図４Ｂは同マグネット部材の断面図である。このマグネット部材１０は、円形マグネット１３ａ−１３ｂが塩化ビニル樹脂シート１２の上に配置され、ポリエチレンフィルムなどの保護フィルム１４によって被覆一体化されている。塩化ビニル樹脂シート１２の下には粘着剤が塗布されており、織物生地などの布１１に押し付けて固定し、布１１を長袖の裏生地又は表生地の裏側に縫い付ける。縫い付け部は外から見えないようにする。円形マグネット１３ａ−１３ｂの一例の大きさは直径１０ｍｍ、厚さ１．７ｍｍである。
【００３０】
図５Ａは本発明の胸襟部に使用するマグネット部材の平面図、図５Ｂは同マグネット部材の断面図である。このマグネット部材１０は、円形マグネット１３ａ−１３ｄが塩化ビニル樹脂シート１２の上に配置され、ポリエチレンフィルムなどの保護フィルム１４によって被覆一体化されている。塩化ビニル樹脂シート１２の下には粘着剤が塗布されており、織物生地などの布１１に押し付けて固定し、布１１をジャケットの胸襟部に縫い付ける。縫い付け部は外から見えないようにする。円形マグネット１３ａ−１３ｄの一例の大きさは直径１０ｍｍ、厚さ１．７ｍｍである。
【実施例】
【００３１】
以下実施例により、本発明をさらに具体的に説明する。なお本発明は下記の実施例に限定されるものではない。
【００３２】
（実施例１）
＜ジャケット＞
（１）ジャケットの繊維素材と織物構成
生地の混率：ポリエステル６０％  綿３３％  ポリウレタン７％
生地を構成する糸のメートル番手：経糸４０番手×緯糸４０番手
糸構成：ポリウレタンにポリエステル：綿（６５：３５の混率）の混紡紡績糸を巻きつけたカバーリング糸
織物の経糸密度：１０３本  ／インチ
織物の緯糸密度：７５本  ／インチ
（２）マグネット
円形マグネット１３ａ−１３ｄの一例の大きさは直径１０ｍｍ、厚さ１．７ｍｍとした。マグネットは市販の希土類マグネットとした。胸襟部の一方にはＳ極又はＮ極マグネットを使用し、他方には前記マグネットと吸引し合う極のマグネットを使用した。
（３）ジャケットの縫製と着用試験
図１〜３に示すジャケット１を縫製した。このジャケット１は、マグネットとこれに吸引される物質は生地の内側に入れているので外側からは視認できず、普段は通常のオフィス勤務用ジャケットとデザイン的に変わることはなく使用できた。また、寒いときや通勤時などで雨が降ってきたときには、袖の延長部を伸ばし、手の甲又は手の裏全体を覆った。これにより手の冷えを回避できた。ジャケット表面に付着した水分は、軽く払うだけで落ちてしまい、そのままオフィスに入っても、濡れているという不快感はなかった。さらに防風、防寒も兼ねており、寒い時期にも便利であった。
【産業上の利用可能性】
【００３３】
本発明のジャケットは、背広（スーツ）、ブルゾン、替え上着などのようなテーラードジャケットに有用であるほか、ユニホームジャケット、ブレザーなどにも有用である。
【符号の説明】
【００３４】
１  ジャケット
２  首襟部
３ａ，３ｂ  胸襟部
４ａ，４ｂ，９ａ，９ｄ  マグネット
４ｃ，４ｄ，９ｂ，９ｄ  異極マグネット
５  ボタン
６  前身頃
７ａ，７ｂ  袖部
８ａ  ボタン穴
８ｂ  首部ボタン
１０  マグネット部材
１１  布
１２  塩化ビニル樹脂シート
１３ａ−１３ｄ  円形マグネット
１４  保護フィルム
１５，１７  延長部
１６，  折込部
【図１】
2018141254.tif 000003
【図２】
2018141254.tif 000004
【図３】
2018141254.tif 000005
【図４】
2018141254.tif 000006
【図５】
2018141254.tif 000007